(57)【要約】      （修正有）【課題】状況情報を感知及び収集することのできる移動端末機を提供する。【解決手段】移動端末機１００は、端末機本体と、前記端末機本体の一面に配置されるカメラ１２１と、前記端末機本体を基準として周辺の状況情報を収集する状況情報部１８２と、カメラ１２１により入力される画像を出力するディスプレイ部１５１と、前記画像の撮影命令の受信に応答して、前記画像と共に前記収集した状況情報をメモリ１６０に保存する制御部１８０とを含む。【選択図】図１
2014099172.tif 000002
【特許請求の範囲】
【請求項１】
端末機本体と、
前記端末機本体の一面に配置されるカメラと、
前記端末機本体を基準として周辺の状況情報を収集する状況情報部と、
前記カメラにより入力される画像を出力するディスプレイ部と、
前記画像の撮影命令の受信に応答して、前記画像と共に前記収集した状況情報をメモリに保存する制御部と、
を含むことを特徴とする移動端末機。
【請求項２】
前記状況情報は、複数の詳細情報を含み、
前記複数の詳細情報は、前記端末機本体の位置情報、前記端末機本体周辺の湿度情報、温度情報、風速情報、サウンド情報、明るさ情報、及びにおい情報のいずれか１つを含むことを特徴とする請求項１に記載の移動端末機。
【請求項３】
前記制御部は、前記メモリに保存された画像及び状況情報を用いて、前記画像及び状況情報が表示された画像オブジェクトを生成することを特徴とする請求項２に記載の移動端末機。
【請求項４】
前記画像オブジェクトの一領域には前記画像が表示され、
前記一領域とは異なる一領域には前記状況情報に含まれる複数の詳細情報に、それぞれ対応する詳細情報項目が表示されることを特徴とする請求項３に記載の移動端末機。
【請求項５】
無線信号を用いて外部機器と情報を送受信する無線通信部をさらに含み、
前記制御部は、前記詳細情報項目の少なくとも１つが選択されると、前記選択された詳細情報項目に対応する詳細情報が予め設定された外部機器に送信されるように、前記無線通信部を制御することを特徴とする請求項４に記載の移動端末機。
【請求項６】
前記制御部は、前記予め設定された外部機器に送信された詳細情報に対応する詳細情報項目が他の詳細情報項目と視覚的に区分されるように、前記ディスプレイ部を制御することを特徴とする請求項５に記載の移動端末機。
【請求項７】
前記制御部は、前記詳細情報項目に対して予め設定された方式のタッチ入力が行われると、ユーザが前記タッチ入力された詳細情報項目に対応する詳細情報を編集できるように、前記ディスプレイ部の少なくとも一領域に編集ウィンドウを出力させることを特徴とする請求項４に記載の移動端末機。
【請求項８】
前記制御部は、前記編集ウィンドウを用いて編集された詳細情報を更新し、
前記画像オブジェクトに表示された詳細情報項目のうち前記編集された詳細情報に対応する詳細情報項目に前記編集された詳細情報が表示されるように、前記ディスプレイ部を制御することを特徴とする請求項７に記載の移動端末機。
【請求項９】
前記画像オブジェクトは、ユーザの出力要求により、又は前記端末機本体が予め設定された位置に近接することにより、前記ディスプレイ部に出力されることを特徴とする請求項４に記載の移動端末機。
【請求項１０】
前記制御部は、前記端末機本体が予め設定された位置に近接することに応答して、アプリケーションに対する制御命令の受信を制限するロック画面上に前記画像オブジェクトを出力させることを特徴とする請求項９に記載の移動端末機。
【請求項１１】
前記画像オブジェクトに対するタッチ入力に基づいて、前記画像オブジェクトに表示された詳細情報項目に対応する詳細情報が、予め設定された少なくとも１つの外部機器に送信され、
前記制御部は、前記画像オブジェクトに対するタッチ入力に応じて、前記画像オブジェクトに表示された複数の詳細情報項目のうち、前記複数の詳細情報項目全体に対応する詳細情報を送信するか、又は前記複数の詳細情報項目の一部に対応する詳細情報を送信するかを決定することを特徴とする請求項１０に記載の移動端末機。
【請求項１２】
前記複数の詳細情報項目の一部に対応する詳細情報を送信するように決定された場合、ユーザから前記複数の詳細情報項目の少なくとも１つの選択を受け、
前記制御部は、前記選択された詳細情報項目をハイライト処理することを特徴とする請求項１１に記載の移動端末機。
【請求項１３】
前記ロック画面上に複数の画像オブジェクトが出力され、前記複数の画像オブジェクトのいずれか１つに対するタッチ入力に基づいて前記いずれか１つの画像オブジェクトが、予め設定された位置に移動した場合、前記いずれか１つの画像オブジェクトに表示された詳細情報項目に対応する詳細情報が、予め設定された少なくとも１つの外部機器に送信されることを特徴とする請求項１０に記載の移動端末機。
【請求項１４】
前記制御部は、前記ディスプレイ部の一領域に複数の画像オブジェクトを出力させ、前記複数の画像オブジェクトの周辺に、予め設定された少なくとも１つの外部機器に対応するグラフィック画像を出力させ、
前記複数の画像オブジェクトのいずれか１つが前記グラフィック画像のいずれか１つにドラッグされると、前記予め設定された少なくとも１つの外部機器のうち、前記いずれか１つのグラフィック画像に対応する外部機器に、前記ドラッグされた画像オブジェクトに対応する状況情報を送信することを特徴とする請求項３に記載の移動端末機。
【請求項１５】
前記制御部は、前記ドラッグされた画像オブジェクトに対応する状況情報のうち、前記いずれか１つのグラフィック画像に対応する外部機器が利用できる情報を選択的に送信することを特徴とする請求項１４に記載の移動端末機。
【請求項１６】
前記制御部は、前記画像が出力されるプレビュー領域の周辺に前記状況情報に対応するフレーム画像を出力させ、
前記撮影命令に応答して、前記画像と共に前記フレーム画像を保存させることを特徴とする請求項１に記載の移動端末機。
【請求項１７】
前記状況情報は、前記端末機本体の位置情報、前記端末機本体周辺の湿度情報、温度情報、風速情報、サウンド情報、明るさ情報、及びにおい情報の少なくとも１つを含むことを特徴とする請求項１に記載の移動端末機。
【請求項１８】
前記状況情報は、前記カメラがアクティブになることにより収集されることを特徴とする請求項１７に記載の移動端末機。
【発明の詳細な説明】
【技術分野】
【０００１】
本発明は、状況情報を感知及び収集することのできる移動端末機に関する。
【背景技術】
【０００２】
端末機は、移動が可能であるか否かによって、移動端末機（mobile/portable terminal）と固定端末機（stationary terminal）に分けられる。さらに、移動端末機は、ユーザが直接携帯可能であるか否かによって、携帯（型）端末機（handheld terminal）と車載端末機（vehicle mount terminal）に分けられる。
【０００３】
このような端末機は、機能が多様化することにより、例えば写真や動画像の撮影、音楽や動画像ファイルの再生、ゲーム、放送受信などの複雑な機能を備えたマルチメディア機器の形で実現されている。また、このような端末機の機能をサポート及び向上させるために、端末機の構造的な部分及び／又はソフトウェア的な部分の改良が試みられている。
【０００４】
さらに、このような移動端末機においては、温度や湿度などの周辺の状況情報を収集することが可能である。
【発明の概要】
【発明が解決しようとする課題】
【０００５】
本発明の目的は、カメラにより撮影した画像と共に現在状況情報を保存することにより、画像を撮影した時点に関する情報をユーザに提供することのできる移動端末機を提供することにある。
【課題を解決するための手段】
【０００６】
上記目的を達成するために、本発明の一実施形態による移動端末機は、端末機本体と、前記端末機本体の一面に配置されるカメラと、前記端末機本体を基準として周辺の状況情報を収集する状況情報部と、前記カメラにより入力される画像を出力するディスプレイ部と、前記画像の撮影命令の受信に応答して、前記画像と共に前記収集した状況情報をメモリに保存する制御部とを含むことを特徴とする。
【０００７】
一態様によれば、前記状況情報は、複数の詳細情報を含み、前記複数の詳細情報は、前記端末機本体の位置情報、前記端末機本体周辺の湿度情報、温度情報、風速情報、サウンド情報、明るさ情報、及びにおい情報のいずれか１つを含むことを特徴とする。
【０００８】
他の態様によれば、前記制御部は、前記メモリに保存された画像及び状況情報を用いて、前記画像及び状況情報が表示された画像オブジェクトを生成することを特徴とする。
【０００９】
さらに他の態様によれば、前記画像オブジェクトの一領域には前記画像が表示され、前記一領域とは異なる一領域には前記状況情報に含まれる複数の詳細情報にそれぞれ対応する詳細情報項目が表示されることを特徴とする。
【００１０】
さらに他の態様によれば、前記移動端末機は、無線信号を用いて外部機器と情報を送受信する無線通信部をさらに含み、前記制御部は、前記詳細情報項目の少なくとも１つが選択されると、前記選択された詳細情報項目に対応する詳細情報が予め設定された外部機器に送信されるように、前記無線通信部を制御することを特徴とする。
【００１１】
さらに他の態様によれば、前記制御部は、前記予め設定された外部機器に送信された詳細情報に対応する詳細情報項目が他の詳細情報項目と視覚的に区分されるように、前記ディスプレイ部を制御することを特徴とする。
【００１２】
さらに他の態様によれば、前記制御部は、前記詳細情報項目に対して予め設定されたタッチ入力が行われると、ユーザが前記タッチ入力された詳細情報項目に対応する詳細情報を編集できるように、前記ディスプレイ部の少なくとも一領域に編集ウィンドウを出力させることを特徴とする。
【００１３】
さらに他の態様によれば、前記制御部は、前記編集ウィンドウを用いて編集された詳細情報を更新し、前記画像オブジェクトに表示された詳細情報項目のうち前記編集された詳細情報に対応する詳細情報項目に前記編集された詳細情報が表示されるように、前記ディスプレイ部を制御することを特徴とする。
【００１４】
さらに他の態様によれば、前記画像オブジェクトは、ユーザの出力要求により、又は前記端末機本体が予め設定された位置に近接することにより、前記ディスプレイ部に出力されることを特徴とする。
【００１５】
さらに他の態様によれば、前記制御部は、前記端末機本体が予め設定された位置に近接することに応答して、アプリケーションに対する制御命令の受信を制限するロック画面上に前記画像オブジェクトを出力させることを特徴とする。
【００１６】
さらに他の態様によれば、前記画像オブジェクトに対するタッチ入力に基づいて、前記画像オブジェクトに表示された詳細情報項目に対応する詳細情報が、予め設定された少なくとも１つの外部機器に送信され、前記制御部は、前記画像オブジェクトに対するタッチ入力に応じて、前記画像オブジェクトに表示された複数の詳細情報項目のうち、前記複数の詳細情報項目全体に対応する詳細情報を送信するか、又は前記複数の詳細情報項目の一部に対応する詳細情報を送信するかを決定することを特徴とする。
【００１７】
さらに他の態様によれば、前記複数の詳細情報項目の一部に対応する詳細情報を送信するように決定された場合、ユーザから前記複数の詳細情報項目の少なくとも１つの選択を受け、前記制御部は、前記選択された詳細情報項目をハイライト処理することを特徴とする。
【００１８】
さらに他の態様によれば、前記ロック画面上に複数の画像オブジェクトが出力され、前記複数の画像オブジェクトのいずれか１つに対するタッチ入力に基づいて前記いずれか１つの画像オブジェクトが予め設定された位置に移動した場合、前記いずれか１つの画像オブジェクトに表示された詳細情報項目に対応する詳細情報が予め設定された少なくとも１つの外部機器に送信されることを特徴とする。
【００１９】
さらに他の態様によれば、前記制御部は、前記ディスプレイ部の一領域に複数の画像オブジェクトを出力させ、前記複数の画像オブジェクトの周辺に、予め設定された少なくとも１つの外部機器に対応するグラフィック画像を出力させ、前記複数の画像オブジェクトのいずれか１つが前記グラフィック画像のいずれか１つにドラッグされると、前記予め設定された少なくとも１つの外部機器のうち、前記いずれか１つのグラフィック画像に対応する外部機器に、前記ドラッグされた画像オブジェクトに対応する状況情報を送信することを特徴とする。
【００２０】
さらに他の態様によれば、前記制御部は、前記ドラッグされた画像オブジェクトに対応する状況情報のうち、前記いずれか１つのグラフィック画像に対応する外部機器が利用できる情報を選択的に送信することを特徴とする。
【００２１】
さらに他の態様によれば、前記制御部は、前記画像が出力されるプレビュー領域の周辺に前記状況情報に対応するフレーム画像を出力させ、前記撮影命令に応答して、前記画像と共に前記フレーム画像を保存させることを特徴とする。
【００２２】
さらに他の態様によれば、前記状況情報は、前記端末機本体の位置情報、前記端末機本体周辺の湿度情報、温度情報、風速情報、サウンド情報、明るさ情報、及びにおい情報の少なくとも１つを含むことを特徴とする。
【００２３】
さらに他の態様によれば、前記状況情報は、前記カメラがアクティブになることにより収集されることを特徴とする。
【発明の効果】
【００２４】
本発明の一実施形態による移動端末機は、カメラにより取得される画像と共に、移動端末機周辺の状況情報を保存することにより、画像を撮影した当時の状況情報をユーザに提供することができる。
【００２５】
また、本発明の一実施形態による移動端末機は、状況情報を無線信号で外部機器に送信することにより、画像を撮影した当時の状況情報を外部機器により再現することができる。
【図面の簡単な説明】
【００２６】
【図１】本発明の一実施形態による移動端末機を示すブロック図である。
【図２Ａ】本発明の一実施形態による移動端末機の一例の前面斜視図である。
【図２Ｂ】図２Ａに示す移動端末機の背面斜視図である。
【図３】本発明の一実施形態による移動端末機の制御方法を示すフローチャートである。
【図４Ａ】図３に示す移動端末機の制御方法を説明するための概念図である。
【図４Ｂ】図３に示す移動端末機の制御方法を説明するための概念図である。
【図５Ａ】本発明の一実施形態による移動端末機における収集した状況情報に関する情報を提供する方法を説明するための概念図である。
【図５Ｂ】本発明の一実施形態による移動端末機における収集した状況情報に関する情報を提供する方法を説明するための概念図である。
【図６Ａ】本発明の一実施形態による移動端末機における収集した状況情報に関する情報を提供する方法を説明するための概念図である。
【図６Ｂ】本発明の一実施形態による移動端末機における収集した状況情報に関する情報を提供する方法を説明するための概念図である。
【図７Ａ】本発明の一実施形態による移動端末機における収集した状況情報を編集する方法を説明するための概念図である。
【図７Ｂ】本発明の一実施形態による移動端末機における収集した状況情報を編集する方法を説明するための概念図である。
【図７Ｃ】本発明の一実施形態による移動端末機における収集した状況情報を編集する方法を説明するための概念図である。
【図７Ｄ】本発明の一実施形態による移動端末機における収集した状況情報を編集する方法を説明するための概念図である。
【図８Ａ】本発明の一実施形態による移動端末機における収集した状況情報を共有する方法を説明するための概念図である。
【図８Ｂ】本発明の一実施形態による移動端末機における収集した状況情報を共有する方法を説明するための概念図である。
【図８Ｃ】本発明の一実施形態による移動端末機における収集した状況情報を共有する方法を説明するための概念図である。
【図８Ｄ】本発明の一実施形態による移動端末機における収集した状況情報を共有する方法を説明するための概念図である。
【図９Ａ】本発明の一実施形態による移動端末機における収集した状況情報を活用する方法を説明するための概念図である。
【図９Ｂ】本発明の一実施形態による移動端末機における収集した状況情報を活用する方法を説明するための概念図である。
【発明を実施するための形態】
【００２７】
以下、添付図面を参照して本発明の実施形態を詳細に説明するが、図面番号に関係なく同一又は類似の構成要素には同一の符号を付して重複する説明は省略する。以下の説明で用いられる構成要素の接尾辞である「モジュール」及び「部」は、明細書の作成を容易にするために付与又は混用されるものであり、それ自体が有意性や有用性を有するものではない。また、本発明の実施形態を説明するにあたって、関連する公知技術についての具体的な説明が本発明の要旨を不明にすると判断される場合は、その詳細な説明を省略する。なお、添付図面は本発明の実施形態を容易に理解できるようにするためのものにすぎず、添付図面により本発明の技術的思想が制限されるように解釈されてはならないことに留意すべきである。
【００２８】
本明細書で説明される移動端末機には、携帯電話、スマートフォン、ノートパソコン、デジタル放送端末機、携帯情報端末（Personal Digital Assistants; PDA）、ポータブルマルチメディアプレーヤ（Portable Multimedia Player; PMP）、ナビゲーション、スレートＰＣ、タブレットＰＣ、ウルトラブックなどが含まれる。しかし、本明細書に開示される実施形態による構成は、移動端末機にのみ適用可能な場合を除き、デジタルテレビ、デスクトップコンピュータなどの固定端末機にも適用できることを、本発明の属する技術の分野における通常の知識を有する者であれば容易に理解できるであろう。
【００２９】
図１は本発明の一実施形態による移動端末機を示すブロック図である。
【００３０】
図１に示すように、移動端末機１００は、無線通信部１１０、Ａ／Ｖ（Audio/Video）入力部１２０、ユーザ入力部１３０、感知部１４０、出力部１５０、メモリ１６０、インタフェース部１７０、制御部１８０、電源供給部１９０などを含む。図１に示す全ての構成要素が必須構成要素であるわけではなく、本発明による移動端末機は、図示の構成要素よりも多い構成要素で実現してもよく、それより少ない構成要素で実現してもよい。
以下、移動端末機１００の構成要素について順次説明する。
【００３１】
無線通信部１１０は、移動端末機１００と無線通信システム間の無線通信、又は移動端末機１００と移動端末機１００の位置するネットワーク間の無線通信を可能にする少なくとも１つのモジュールを含む。例えば、無線通信部１１０は、放送受信モジュール１１１、移動通信モジュール１１２、無線インターネットモジュール１１３、近距離通信モジュール１１４、位置情報モジュール１１５などを含む。
【００３２】
放送受信モジュール１１１は、放送チャネルを介して、外部の放送管理サーバから放送信号及び／若しくは放送関連情報を受信する。
【００３３】
前記放送チャネルは、衛星チャネル及び地上波チャネルを含む。前記放送管理サーバは、放送信号及び／若しくは放送関連情報を生成して送信するサーバ、又は既に生成されて提供された放送信号及び／若しくは放送関連情報を送信するサーバを含む。
【００３４】
前記放送信号は、テレビ放送信号、ラジオ放送信号、データ放送信号を含むだけでなく、テレビ放送信号又はラジオ放送信号にデータ放送信号が結合した形態の放送信号も含む。
【００３５】
前記放送関連情報は、放送チャネル、放送番組、又は放送サービスプロバイダに関する情報を含む。前記放送関連情報は、移動通信網を介して提供することもでき、この場合、移動通信モジュール１１２により受信することができる。
【００３６】
前記放送関連情報は様々な形態で存在する。例えば、ＤＭＢ（Digital Multimedia   Broadcasting）のＥＰＧ（Electronic Program Guide）、又はＤＶＢ−Ｈ（Digital Video Broadcast-Handheld）のＥＳＧ（Electronic Service Guide）などの形態で存在する。
【００３７】
放送受信モジュール１１１は、例えばＤＭＢ−Ｔ（Digital Multimedia   Broadcasting-Terrestrial）、ＤＭＢ−Ｓ（Digital Multimedia Broadcasting-Satellite）、ＭｅｄｉａＦＬＯ（Media Forward Link Only）、ＤＶＢ−Ｈ、ＩＳＤＢ−Ｔ（Integrated Services Digital Broadcast-Terrestrial）などのデジタル放送システムを利用してデジタル放送信号を受信することができる。もちろん、放送受信モジュール１１１は、前述したデジタル放送システムだけでなく、他の放送システムに適合するように構成してもよい。
【００３８】
放送受信モジュール１１１により受信された放送信号及び／若しくは放送関連情報は、メモリ１６０に保存することができる。
【００３９】
移動通信モジュール１１２は、移動通信網上で基地局、外部の端末、サーバの少なくとも１つと無線信号を送受信する。前記無線信号は、音声呼信号、テレビ電話呼信号、又はＳＭＳ／ＭＭＳメッセージの送受信による様々な形態のデータを含む。
【００４０】
移動通信モジュール１１２は、音声通話モード及びテレビ電話モードを実現するように構成される。音声通話モードとは、相手の画像を見ないで通話するモードをいい、テレビ電話モードとは、相手の画像を見ながら通話するモードをいう。移動通信モジュール１１２は、音声通話モード及びテレビ電話モードを実現するために、音声及び画像の少なくとも一方を送受信するように構成される。
【００４１】
無線インターネットモジュール１１３は、無線インターネットの接続のためのモジュールであり、移動端末機１００に内蔵されるか又は外付けされる。無線インターネット技術としては、ＷＬＡＮ（Wireless LAN）、Ｗｉ−Ｆｉ（Wireless Fidelity）、Ｗｉｂｒｏ（Wireless Broadband）、ＷｉＭＡＸ（Worldwide Interoperability for Microwave Access）、ＨＳＤＰＡ（High Speed Downlink Packet Access）などを用いることができる。
【００４２】
近距離通信モジュール１１４は、近距離通信のためのモジュールである。近距離通信技術としては、ブルートゥース、ＲＦＩＤ（Radio Frequency Identification）、ＩｒＤＡ（Infrared Data Association）、ＵＷＢ（Ultra Wideband）、ＺｉｇＢｅｅなどを用いることができる。
【００４３】
位置情報モジュール１１５は、移動端末機１００の位置を取得するためのモジュールであり、代表的な例としては、ＧＰＳ（Global Position System）モジュールがある。
【００４４】
Ａ／Ｖ入力部１２０は、オーディオ信号又はビデオ信号の入力のためのものであり、カメラ１２１やマイク１２２などを含む。カメラ１２１は、テレビ電話モード又は撮影モードでイメージセンサにより得られる静止画像又は動画像などの画像フレームを処理する。
【００４５】
そして、カメラ１２１で処理された画像フレームは、ディスプレイ部１５１に表示することができる。また、カメラ１２１で処理された画像フレームは、メモリ１６０に保存したり、無線通信部１１０により外部に伝送することもできる。カメラ１２１は、使用環境に応じて２つ以上備えてもよい。
【００４６】
マイク１２２は、通話モード、録音モード、又は音声認識モードなどで、マイク１２２に入力された外部の音響信号を電気的な音声データに処理する。そして、マイク１２２で処理された音声データは、通話モードの場合、移動通信モジュール１１２により移動通信基地局に送信可能な形態に変換して出力することができる。マイク１２２には、外部の音響信号が入力される過程で発生するノイズを除去するための様々なノイズ除去アルゴリズムが実現される。
【００４７】
ユーザ入力部１３０は、ユーザにより端末機の動作制御のための入力データを発生する。ユーザ入力部１３０は、キーパッド、ドームスイッチ、タッチパッド（感圧／静電）、ジョグホイール、ジョグスイッチなどで構成してもよい。
【００４８】
感知部１４０は、移動端末機１００の開閉状態、移動端末機１００の位置、移動端末機１００の方位又は加速／減速、ユーザの接触の有無などの移動端末機１００の現在の状態を感知し、移動端末機１００の動作を制御するための感知信号を発生するさせる。例えば、移動端末機１００がスライドタイプの場合、移動端末機１００の開閉状態を感知することができる。また、電源供給部１９０から電源が供給されるか否か、インタフェース部１７０に外部機器が結合されたか否かなどを感知することもできる。
【００４９】
出力部１５０は、視覚、聴覚、又は触覚などに関連する出力を発生するさせるためのものであり、ディスプレイ部１５１、音響出力モジュール１５２、アラーム部１５３、ハプティックモジュール１５４などを含む。
【００５０】
ディスプレイ部１５１は、移動端末機１００で処理される情報を表示（出力）する。例えば、移動端末機１００が通話モードの場合は、通話に関するＵＩ（User Interface）若しくはＧＵＩ（Graphic User Interface）を表示する。また、移動端末機１００がテレビ電話モード又は撮影モードの場合は、撮影及び／若しくは受信した画像、又はＵＩ、ＧＵＩを表示する。
【００５１】
ディスプレイ部１５１は、液晶ディスプレイ（Liquid Crystal Display; LCD）、薄膜トランジスタ液晶ディスプレイ（Thin Film Transistor-Liquid Crystal Display; TFT-LCD）、有機発光ダイオード（Organic Light-Emitting Diode; OLED）、フレキシブルディスプレイ、３次元ディスプレイ、電子インクディスプレイの少なくとも１つを含む。
【００５２】
これらのディスプレイの一部は、そのディスプレイから外部が見えるように、透明型又は光透過型に構成してもよい。これは透明ディスプレイとも呼ばれ、透明ディスプレイの代表的な例としてはＴＯＬＥＤ（Transparent OLED）などがある。ディスプレイ部１５１の後方構造も光透過型構造に構成してもよい。このような構造により、ユーザは端末機本体のディスプレイ部１５１が占める領域から端末機本体の後方に位置するものを見ることができる。
【００５３】
移動端末機１００の実現形態に応じて、ディスプレイ部１５１を２つ以上備えてもよい。例えば、移動端末機１００には、複数のディスプレイ部を１つの面に離隔して又は一体に配置してもよく、異なる面にそれぞれ配置してもよい。
【００５４】
ディスプレイ部１５１とタッチ動作を感知するセンサ（以下、「タッチセンサ」という）がレイヤ構造をなす場合（以下、「タッチスクリーン」ともいう）、ディスプレイ部１５１は、出力装置の他に入力装置として使用することもできる。タッチセンサは、例えばタッチフィルム、タッチシート、タッチパッドなどの形態を有する。
【００５５】
タッチセンサは、ディスプレイ部１５１の特定部位に加わった圧力又はディスプレイ部１５１の特定部位に発生する静電容量などの変化を電気的な入力信号に変換するように構成してもよい。タッチセンサは、タッチされる位置及び面積だけでなく、タッチ時の圧力までも検出できるように構成してもよい。
【００５６】
タッチセンサへのタッチ入力がある場合、それに対応する信号がタッチ制御装置に送られる。タッチ制御装置は、その信号を処理して対応するデータを制御部１８０に送る。これにより、制御部１８０は、ディスプレイ部１５１のどの領域がタッチされたかなどが分かる。
【００５７】
前記タッチスクリーンにより覆われる移動端末機１００の内部領域又は前記タッチスクリーンの近くには、近接センサ１４１を配置してもよい。近接センサとは、電磁界の力又は赤外線を利用して、所定の検出面に近づく物体又は近傍に存在する物体の有無を機械的な接触なしに検出できるセンサをいう。近接センサは、接触式センサより寿命が長く、その活用度も高い。
【００５８】
近接センサとしては、透過型光電センサ、直接反射型光電センサ、回帰反射型光電センサ、高周波発振型近接センサ、静電容量型近接センサ、磁気近接センサ、赤外線近接センサなどがある。静電式タッチスクリーンは、ポインタの近接による電界の変化から前記ポインタの近接を検出するように構成される。この場合、タッチスクリーン（タッチセンサ）は近接センサにも分類される。
【００５９】
以下、説明の便宜上、ポインタをタッチスクリーン上に接触させるのではなく近接させてポインタがタッチスクリーン上に位置することを認識させることを「近接タッチ（proximity touch）」といい、ポインタをタッチスクリーン上に実際に接触させることを「接触タッチ（contact touch）」という。ポインタにより近接タッチされるタッチスクリーン上の位置とは、ポインタが近接タッチされる際にポインタがタッチスクリーンに対して垂直に対応する位置を意味する。
【００６０】
近接センサ１４１は、近接タッチ動作及び近接タッチパターン（例えば、近接タッチ距離、近接タッチ方向、近接タッチ速度、近接タッチ時間、近接タッチ位置、近接タッチ移動状態など）を感知する。感知された近接タッチ動作及び近接タッチパターンに関する情報は、タッチスクリーン上に出力することができる。
【００６１】
音響出力モジュール１５２は、呼受信モード、通話モード、録音モード、音声認識モード、又は放送受信モードなどで、無線通信部１１０から受信するか、又はメモリ１６０に保存されたオーディオデータを出力する。音響出力モジュール１５２は、移動端末機１００で実行される機能（例えば、呼信号受信音、メッセージ受信音など）に関連する音響信号も出力する。このような音響出力モジュール１５２は、レシーバ、スピーカ、ブザーなどを含む。
【００６２】
アラーム部１５３は、移動端末機１００のイベント発生を通知するための信号を出力する。移動端末機１００で発生するイベントとしては、呼信号受信、メッセージ受信、キー信号入力、タッチ入力などがある。アラーム部１５３は、ビデオ信号やオーディオ信号以外に、他の形態、例えば振動でイベント発生を通知するための信号を出力することもできる。前記ビデオ信号又はオーディオ信号は、ディスプレイ部１５１又は音響出力モジュール１５２により出力することもできるので、ディスプレイ部１５１及び音響出力モジュール１５２はアラーム部１５３の一部にも分類される。
【００６３】
ハプティックモジュール１５４は、ユーザが感じることのできる様々な触覚効果を発生する。ハプティックモジュール１５４が発生する触覚効果の代表的な例としては振動がある。ハプティックモジュール１５４が発生する振動の強度やパターンなどは制御可能である。例えば、異なる振動を合成して出力することもでき、順次出力することもできる。
【００６４】
ハプティックモジュール１５４は、振動の他にも、皮膚接触面に対して垂直運動するピン配列、噴射口又は吸入口を用いた空気の噴射力又は吸入力、皮膚表面に対する擦れ、電極の接触、静電気力などの刺激による効果や、吸熱又は発熱が可能な素子を用いた冷温感の再現による効果など、様々な触覚効果を発生することができる。
【００６５】
ハプティックモジュール１５４は、直接的な接触により触覚効果を伝えることができるだけでなく、ユーザが指や腕などの筋感覚により触覚効果を感じるように実現することもできる。ハプティックモジュール１５４は、移動端末機１００の構成態様に応じて２つ以上備えてもよい。
【００６６】
メモリ１６０は、制御部１８０の動作のためのプログラムを保存することもでき、入出力されるデータ（例えば、電話帳、メッセージ、静止画像、動画像など）を一時保存することもできる。メモリ１６０は、前記タッチスクリーンのタッチ入力時に出力される様々なパターンの振動及び音響に関するデータを保存することもできる。
【００６７】
メモリ１６０は、フラッシュメモリタイプ、ハードディスクタイプ、マルチメディアカードマイクロタイプ、カードタイプのメモリ（例えば、ＳＤ又はＸＤメモリなど）、ＲＡＭ（Random Access Memory）、ＳＲＡＭ（Static Random Access Memory）、ＲＯＭ（Read-Only Memory）、ＥＥＰＲＯＭ（Electrically Erasable Programmable Read-Only Memory）、ＰＲＯＭ（Programmable Read-Only Memory）、磁気メモリ、磁気ディスク、光ディスクの少なくとも１つのタイプの記憶媒体を含む。移動端末機１００は、インターネット上でメモリ１６０の保存機能を実行するウェブストレージに関連して動作することもできる。
【００６８】
インタフェース部１７０は、移動端末機１００に接続される全ての外部機器との通路の役割を果たす。インタフェース部１７０は、外部機器からデータを受信するか、供給された電源を移動端末機１００内部の各構成要素に送るか、又は移動端末機１００内部のデータを外部機器に送信する。インタフェース部１７０は、例えば有無線ヘッドセットポート、外部充電器ポート、有無線データポート、メモリカードポート、識別モジュールが備えられた装置を接続するポート、オーディオＩ／Ｏ（Input/Output）ポート、ビデオＩ／Ｏポート、イヤホンポートなどを含む。
【００６９】
前記識別モジュールは、移動端末機１００の使用権限を認証するための各種情報を保存したチップであり、ユーザ識別モジュール（User Identity Module; UIM）、加入者識別モジュール（Subscriber Identity Module; SIM）、汎用加入者識別モジュール（Universal Subscriber Identity Module; USIM）などを含む。前記識別モジュールが備えられた装置（以下、識別装置という）は、スマートカード形式で製造してもよい。よって、前記識別装置は、ポートを介して移動端末機１００に接続することができる。
【００７０】
インタフェース部１７０は、移動端末機１００が外部のクレードルに接続された場合、前記クレードルからの電源が移動端末機１００に供給される通路となり、ユーザにより前記クレードルから入力される各種命令信号が移動端末機１００に伝達される通路となる。前記クレードルから入力される各種命令信号又は電源は、移動端末機１００が前記クレードルに正しく取り付けられたことを認知するための信号としても機能する。
【００７１】
通常、制御部１８０は、移動端末機１００の全般的な動作を制御する。例えば、音声通話、データ通信、テレビ電話などに関連する制御及び処理を行う。制御部１８０は、マルチメディアを再生するためのマルチメディアモジュール１８１を備えてもよい。マルチメディアモジュール１８１は、制御部１８０内に実現してもよく、制御部１８０とは別に実現してもよい。
【００７２】
また、制御部１８０は、前記タッチスクリーン上で行われる手書き入力及び手描き入力をそれぞれ文字及び画像として認識するパターン認識処理を行う。
【００７３】
さらに、制御部１８０は、移動端末機１００の状態が予め設定された条件を満たすと、アプリケーションに対するユーザの制御命令の入力を制限するロック状態にすることができる。さらに、制御部１８０は、前記ロック状態で、ディスプレイ部１５１（タッチスクリーン）により感知されるタッチ入力に基づいて、前記ロック状態で表示されるロック画面を制御する。
【００７４】
電源供給部１９０は、制御部１８０の制御下で、供給された外部の電源、内部の電源を各構成要素に必要に応じて供給する。
【００７５】
ここに説明される様々な実施形態は、例えばソフトウェア、ハードウェア、又はこれらの組み合わせにより、コンピュータ又はこれと類似の装置で読み取りが可能な記録媒体内で実現することができる。
【００７６】
ハードウェア的な実現においては、ここに説明される実施形態は、ＡＳＩＣｓ（Application Specific Integrated Circuits）、ＤＳＰｓ（Digital Signal Processors）、ＤＳＰＤｓ（Digital Signal Processing Devices）、ＰＬＤｓ（Programmable Logic Devices）、ＦＰＧＡｓ（Field Programmable Gate Arrays）、プロセッサ、制御装置、マイクロコントローラ、マイクロプロセッサ、その他の機能実行のための電気的なユニットの少なくとも１つを用いて実現してもよい。一部の場合、これらの実施形態は制御部１８０により実現してもよい。
【００７７】
ソフトウェア的な実現においては、ここに説明される手順や機能などの実施形態は、別のソフトウェアモジュールで実現してもよい。各ソフトウェアモジュールは、ここに説明される１つ以上の機能又は動作を行うようにしてもよい。
【００７８】
ソフトウェアコードは、適切なプログラム言語で記述されたソフトウェアアプリケーションにより実現してもよい。また、ソフトウェアコードは、メモリ１６０に保存し、制御部１８０により実行してもよい。
【００７９】
以下、図１を参照して説明した本発明の一実施形態による移動端末機の一例を説明する。
【００８０】
図２Ａは本発明の一実施形態による移動端末機の一例の前面斜視図であり、図２Ｂは図２Ａに示す移動端末機の背面斜視図である。
【００８１】
図２Ａ及び図２Ｂを参照すると、移動端末機１００は、ストレートタイプの端末機本体を備えている。ただし、本発明は、これに限定されるものではなく、２つ以上の本体が相対移動可能に結合されるスライドタイプ、折り畳みタイプ、スイングタイプ、２軸回転タイプなどの様々な構造に適用可能である。
前記端末機本体は、前面、側面及び背面を備える。また、前記端末機本体は、長手方向の両端に形成される両端部を備える。
【００８２】
前記端末機本体は、移動端末機１００の外観を形成するケース（ケーシング、ハウジング、カバーなど）を含む。本実施形態のケースは、フロントケース１０１とリアケース１０２とから構成される。フロントケース１０１とリアケース１０２との間に形成された空間には、各種電子部品が内蔵される。フロントケース１０１とリアケース１０２との間には、１つ又は複数の中間ケースをさらに配置してもよい。
【００８３】
前記ケースは、合成樹脂を射出して形成してもよく、金属材、例えばステンレススチールやチタン（Ｔｉ）などで形成してもよい。
【００８４】
前記端末機本体、主にフロントケース１０１には、ディスプレイ部１５１、音響出力モジュール１５２、カメラ１２１、マイク１２２、ユーザ入力部１３０（１３１、１３２）、インタフェース部１７０などが配置される。
【００８５】
ディスプレイ部１５１は、フロントケース１０１の主面の大部分を占める。ディスプレイ部１５１の両端部のうち、一端部に隣接する領域には、音響出力モジュール１５２及びカメラ１２１が配置され、他端部に隣接する領域には、マイク１２２及びユーザ入力部１３１が配置される。ユーザ入力部１３２やインタフェース部１７０などは、フロントケース１０１及びリアケース１０２の側面に配置されてもよい。
【００８６】
ユーザ入力部１３０は、移動端末機１００の動作を制御するための命令を入力するために操作するものであって、複数の操作ユニット、例えば第１操作ユニット１３１及び第２操作ユニット１３２を含んでもよい。第１操作ユニット１３１及び第２操作ユニット１３２は、操作部ともいい、触知式（tactile manner）であればいかなる方式も採用可能である。
【００８７】
第１操作ユニット１３１又は第２操作ユニット１３２により入力される内容は様々に設定可能である。例えば、開始、終了、スクロールなどの命令は第１操作ユニット１３１により入力され、音響出力モジュール１５２から出力される音響のボリューム調整、ディスプレイ部１５１のタッチ認識モードへの移行などの命令は第２操作ユニット１３２により入力されるようにしてもよい。
【００８８】
図２Ｂに示すように、前記端末機本体の背面、すなわちリアケース１０２には、音響出力モジュール１５２’をさらに配置してもよい。音響出力モジュール１５２’は、音響出力モジュール１５２（図２Ａ参照）と共にステレオ機能の実現、そして通話時にはスピーカフォンモードの実現のために用いられる。
【００８９】
また、リアケース１０２には、カメラ１２１’をさらに取り付けてもよい。カメラ１２１’は、フロントケース１０１に取り付けられたカメラ１２１（図２Ａ参照）とは撮影方向が実質的に反対であり、画素が異なるカメラであってもよい。
【００９０】
例えば、カメラ１２１は、テレビ電話などの場合にユーザの顔を撮影して相手に伝送するのに負担にならない低画素にし、カメラ１２１’は、一般的な被写体を撮影し、直ちに伝送しないことが多いため、高画素にするようにしてもよい。カメラ１２１、１２１’は、回転又はポップアップ可能に前記端末機本体に設置してもよい。
【００９１】
カメラ１２１’に隣接してフラッシュ１２３及びミラー１２４をさらに配置してもよい。フラッシュ１２３は、カメラ１２１’で被写体を撮影する場合、被写体に向けて光を照射する。ミラー１２４は、ユーザがカメラ１２１’でユーザ自身を撮影する場合（セルフ撮影）、自分の顔などを映せるようにする。
【００９２】
さらに、リアケース１０２には、タッチを感知するためのタッチパッド１３５をさらに配置してもよい。タッチパッド１３５は、ディスプレイ部１５１と同様に、光透過型に構成してもよい。この場合、ディスプレイ部１５１が両面から視覚情報を出力するように構成されると、タッチパッド１３５からも前記視覚情報を認知することができる。前記ディスプレイ部１５１の両面から出力される情報は、タッチパッド１３５により制御されるようにしてもよい。タッチパッド１３５とディスプレイ部１５１とは互いに関連して動作する。タッチパッド１３５は、ディスプレイ部１５１の後方に平行に配置してもよい。また、タッチパッド１３５のサイズは、ディスプレイ部１５１と等しいかそれより小さくしてもよい。これとは異なり、タッチパッド１３５にディスプレイ部をさらに取り付けることにより、リアケース１０２にもタッチスクリーンが配置されるようにしてもよい。
【００９３】
前記端末機本体には、移動端末機１００に電源を供給するための電源供給部１９０が取り付けられる。電源供給部１９０は、前記端末機本体に内蔵されるように構成してもよく、前記端末機本体の外部から直接着脱できるように構成してもよい。
【００９４】
前述したような構成要素の少なくとも１つを含む本発明の一実施形態による移動端末機においては、カメラにより画像を撮影した場合、撮影した画像と共に周辺の状況情報を保存することができる。また、本発明の一実施形態による移動端末機においては、画像を撮影した当時の状況情報を再現できる外部機器に、保存された状況情報を送信することができる。
【００９５】
以下、図３〜図４Ｂを参照して、状況情報を収集してそれを提供するための制御方法を例に挙げて説明する。図３は本発明の一実施形態による移動端末機の制御方法を示すフローチャートであり、図４Ａ及び図４Ｂは図３に示す移動端末機の制御方法を説明するための概念図である。
【００９６】
本発明の一実施形態による移動端末機において、制御部１８０（図１参照）は、カメラアクティブ化命令に対応して、カメラ１２１又は１２１’（図１、図２Ａ及び図２Ｂ参照）をアクティブにする（Ｓ３１０）。ここで、前記カメラアクティブ化命令は、ユーザによるカメラ機能アプリケーションのアイコンの選択に基づいて受信されるようにしてもよい。また、前記カメラアクティブ化命令は、ユーザによる端末機本体に備えられた物理的なキーの押圧に基づいて受信されるようにしてもよい。
【００９７】
このようにしてカメラ１２１又は１２１’がアクティブになると（Ｓ３１０）、状況情報部１８２は、前記端末機本体を基準として周辺の状況情報を収集する（Ｓ３２０）。
【００９８】
ここで、前記状況情報は、カメラ１２１又は１２１’がアクティブになった時点で本発明による移動端末機の各種センサにより感知する情報であってもよい。また、前記状況情報は、本発明による移動端末機が無線通信により受信する情報であってもよい。
【００９９】
一方、前記状況情報は、複数の詳細情報を含む。前記複数の詳細情報は、本発明による移動端末機の位置情報、移動端末機周辺の湿度情報、温度情報、風速情報、サウンド情報、明るさ情報、におい情報、騒音情報、汚染度情報、天気情報、日付情報、埃情報、及び紫外線情報の少なくとも１つにそれぞれ対応する。
【０１００】
このように、カメラ１２１又は１２１’がアクティブになると、状況情報部１８２は、移動端末機周辺の状況情報を収集する。前記状況情報は、カメラ１２１又は１２１’がアクティブになった時点で感知され、状況情報部１８２により収集されるようにしてもよい。また、前記状況情報は、カメラ１２１又は１２１’がアクティブになる前に感知され、カメラ１２１又は１２１’がアクティブになると状況情報部１８２により収集されるようにしてもよい。
【０１０１】
一方、カメラ１２１又は１２１’がアクティブになると（Ｓ３１０）、制御部１８０は、カメラ１２１又は１２１’により入力される画像をディスプレイ部１５１に出力させる（Ｓ３３０）。
【０１０２】
前記ステップＳ３２０、Ｓ３３０は順序に拘らず、前記ステップＳ３２０、Ｓ３３０に対応する動作は同時に行われるようにしてもよい。
【０１０３】
ディスプレイ部１５１に画像が出力された状態で（Ｓ３３０）、撮影命令が受信されると、制御部１８０は、ディスプレイ部１５１に出力された画像と共に前記収集した状況情報をメモリ１６０に保存させる（Ｓ３４０）。
【０１０４】
ここで、前記撮影命令は、ディスプレイ部１５１に出力されたビジュアルキー又はソフトキーのタッチに基づいて受信されるようにしてもよい。また、前記撮影命令は、ユーザによる端末機本体に備えられた物理的なキーの押圧に基づいて受信されるようにしてもよい。
【０１０５】
制御部１８０は、前記撮影命令を受信した時点でカメラ１２１又は１２１’により入力される画像をメモリ１６０に保存させる。また、制御部１８０は、メモリ１６０に保存された画像（又は撮影画像）と前記収集した状況情報とを関連付けて活用できるように、前記撮影画像と前記収集した状況情報をマッチングする。
【０１０６】
例えば、図４Ａの（ａ）に示すように、カメラ１２１又は１２１’がアクティブになると、制御部１８０は、図４Ａの（ｂ）に示すように、ディスプレイ部１５１の一領域（例えば、プレビュー領域４１０）にカメラ１２１又は１２１’により入力される画像を出力させ、他の少なくとも一領域４２０に状況情報部１８２により収集した状況情報を出力させる。ここで、前記収集した状況情報は、音楽情報、明るさ情報、湿度情報、温度情報、風速情報、及び位置情報を含む。
【０１０７】
そして、撮影命令が受信されると、制御部１８０は、プレビュー領域４１０に出力された画像と共に前記収集した状況情報をメモリ１６０に保存させる。このように前記撮影命令が受信されると、図４Ａの（ｃ）に示すように、撮影した画像及び収集した状況情報がディスプレイ部１５１に出力されるようにしてもよい。図４Ａの（ｃ）において、音楽情報は「ＯＮＬＹＯＮＥ」というタイトルの歌であり、明るさ情報は「３０」ルーメンであり、湿度情報は「２５％」であり、温度情報は「２５°」であり、風速情報は「１０ｋｍ／ｈ」であり、位置情報は「渋谷」である。
【０１０８】
一方、このように、前記撮影命令に対応して、前記撮影した画像と前記収集した状況情報がマッチングされて保存されると、制御部１８０は、図４Ａの（ｄ）に示すように、前記撮影した画像及び前記収集した状況情報を用いて、画像及び状況情報が表示された画像オブジェクト４４０を生成することができる。画像オブジェクト４４０の一領域４４１には前記撮影した画像が表示され、一領域４４１とは異なる一領域には前記収集した状況情報に含まれる複数の詳細情報（例えば、音楽情報、明るさ情報、湿度情報、温度情報、風速情報、及び位置情報）にそれぞれ対応する詳細情報項目（符号４４２及び４４３参照）が表示されるようにしてもよい。
【０１０９】
このような画像オブジェクト４４０は、ユーザの出力要求などによってディスプレイ１５１に出力される、例えば、アルバム機能やその他の機能のアプリケーションで閲覧することができる。また、画像オブジェクト４４０を活用する方法については後述する。
【０１１０】
一方、カメラ１２１又は１２１’のアクティブ化に基づいて状況情報を収集するか否かは、ユーザの選択により制御することができる。すなわち、本発明の一実施形態による移動端末機においては、ユーザが希望する場合に限って、状況情報を収集する。
【０１１１】
例えば、本発明の一実施形態による移動端末機においては、図４Ｂの（ａ）及び（ｂ）に示すように、状況情報の収集をオンにするオンアイコン４５１、及び状況情報の収集をオフにするオフアイコン４５２を出力することができる。例えば、図４Ｂの（ａ）に示すようにオンアイコン４５１が選択されると、制御部１８０は、図４Ｂの（ｂ）に示すように、状況情報を収集するように状況情報部１８２を制御する。また、図４Ｂの（ｂ）に示すようにオフアイコン４５２が選択されると、制御部１８０は、図４Ｂの（ｃ）に示すように、状況情報を収集しないように状況情報部１８２を制御する。
【０１１２】
また、このような方法の他にも様々な方法で状況情報を収集するか否かを制御することができ、例えば、音声命令により、状況情報を収集するか否かを制御することもできる。
【０１１３】
以上のように、本発明の一実施形態による移動端末機においては、撮影画像を状況情報と共に保存することにより、画像を撮影した状況に関する情報をユーザに提供することができる。
【０１１４】
以下、図５Ａ〜図６Ｂを参照して、収集した状況情報に関する情報を提供する方法について詳細に説明する。図５Ａ、図５Ｂ、図６Ａ、及び図６Ｂは本発明の一実施形態による移動端末機における収集した状況情報に関する情報を提供する方法を説明するための概念図である。
【０１１５】
本発明の一実施形態による移動端末機において、制御部１８０は、カメラ１２１又は１２１’がアクティブになり、状況情報が収集されると、収集した状況情報に関する情報をフレーム（又は額縁）を用いて提供することができる。
【０１１６】
例えば、図５Ａの（ａ）に示すように、カメラ１２１又は１２１’がアクティブになると、制御部１８０は、ディスプレイ部１５１の一領域（例えば、プレビュー領域５１０）にカメラ１２１又は１２１’により入力される画像を出力させる。また、制御部１８０は、プレビュー領域５１０を除く少なくとも一領域に、前記収集した状況情報に対応する静止画像又は動画像５２０を出力させる。つまり、前記収集した状況情報に対応する静止画像又は動画像５２０は、プレビュー領域５１０に出力された画像のフレーム（又は額縁）の形で出力することができる。一例として、収集した状況情報のうち天気情報が「雨」の場合、制御部１８０は、「雨」に関連するフレーム画像をプレビュー領域５１０の周辺に出力させることができる。そして、撮影命令が受信されると、制御部１８０は、図５Ａの（ｂ）に示すように、ディスプレイ部１５１の一領域５３０に前記撮影した画像を出力させ、一領域５３０の周辺の少なくとも一領域５４０に前記収集した状況情報に対応する静止画像又は動画像をフレーム（又は額縁）の形で出力させる。
【０１１７】
また、制御部１８０は、前記撮影した画像を前記フレーム（又は額縁）と共に保存させることができる。
【０１１８】
他の例として、収集した状況情報のうち天気情報が「晴れ」の場合、制御部１８０は、「晴れ」に関連するフレーム画像をプレビュー領域５５０の周辺５６０に出力させることができる。そして、撮影命令が受信されると、制御部１８０は、図５Ｂの（ｂ）に示すように、ディスプレイ部１５１の一領域５７０に前記撮影した画像を出力させ、一領域５７０の周辺の少なくとも一領域５８０に前記収集した状況情報に対応する静止画像又は動画像をフレーム（又は額縁）の形で出力させる。
【０１１９】
一方、制御部１８０は、ギャラリー（又はアルバム）機能を用いて、撮影した画像又はダウンロードした画像をディスプレイ部１５１に出力させることができる。また、ギャラリー（又はアルバム）機能が実行されると、制御部１８０は、図６Ａの（ａ）に示すように、撮影した画像又はダウンロードした画像の少なくとも１つをディスプレイ部１５１に出力させることができる。
【０１２０】
ここで、制御部１８０は、状況情報が共に保存された画像が他の画像と区分されるように、状況情報が共に保存された画像に画像オブジェクト（又はアイコン）を表示することができる。図６Ａの（ａ）に示すように、ディスプレイ部１５１に出力された複数の画像のうち、状況情報が共に保存された画像６１１、６１２、６１３の一領域には、画像オブジェクト６１１ａ、６１２ａ、６１３ａがそれぞれ表示される。また、図６Ａの（ｂ）に示すように、状況情報が共に保存された画像６１１、６１２、６１３のいずれか１つの画像６１１ｂがディスプレイ部１５１に出力されると、制御部１８０は、ディスプレイ部１５１の一領域６１１ｃに状況情報を共に出力させる。ここで、一領域６１１ｃに出力される状況情報は、ユーザの選択又は制御部１８０の制御により表示されないようにすることができる。一方、図６Ａの（ｃ）に示すように、状況情報が共に保存されていない画像６１５が出力された場合、ディスプレイ部１５１には画像６１５のみ表示される。
【０１２１】
一方、制御部１８０は、図６Ｂの（ａ）に示すように、画像６２０が出力された状態で、画像６２０の一領域に画像オブジェクト６２１を出力させたり、画像６２０の一領域６２１を歪ませることにより、画像６２０と共に保存された状況情報があることを示すことができる。
【０１２２】
また、画像オブジェクト又は一領域６２１に対してタッチ入力が行われると、制御部１８０は、図６Ｂの（ｂ）に示すように、状況情報を出力させることができる。
【０１２３】
制御部１８０は、画像オブジェクト又は一領域６２１に対する、紙をめくるようなドラッグ又はスライドタッチ入力に基づいて、画像の一領域６２２に状況情報を出力させることができる。このとき、制御部１８０は、前記ドラッグ又はスライドタッチ入力により、紙の裏面が表示されるような効果のように、画像６２０の一領域の表示・非表示を制御することができる。
【０１２４】
以上のように、本発明の一実施形態による移動端末機においては、撮影画像と共に状況情報を出力することにより、画像を撮影した状況に関する情報を効果的にユーザに提供することができる。
【０１２５】
以下、図７Ａ〜図７Ｄを参照して、収集した状況情報を活用する方法について詳細に説明する。図７Ａ、図７Ｂ、図７Ｃ、及び図７Ｄは本発明の一実施形態による移動端末機における収集した状況情報を編集する方法を説明するための概念図である。
【０１２６】
本発明の一実施形態による移動端末機において、制御部１８０は、図４Ａを参照して説明した画像オブジェクト４４０（図４Ａの（ｄ）参照）を用いて、画像と共に保存された状況情報を外部機器に送信することができる。すなわち、制御部１８０は、収集した状況情報に対応する環境を作るために、少なくとも１つの外部機器に、適切な状況情報を送信することができる。
【０１２７】
ここで、外部機器は、Ｗｉ−Ｆｉ、ＤＬＮＡ（Digital Living Network Alliance）、ＮＦＣ（Near Field Communication）、ブルートゥース、及びＷｉ−Ｆｉダイレクト通信方式の少なくとも１つを用いて、本発明の一実施形態による移動端末機と通信することができる。このように本発明の一実施形態による移動端末機が外部機器に接続された場合、制御部１８０は、ユーザの選択に基づいて、収集した状況情報に含まれる複数の詳細情報の少なくとも１つを外部機器に送信することができる。
【０１２８】
ここで、外部機器は、状況情報に対応する環境を作ることができる様々な種類の機器を含む。
【０１２９】
例えば、図７Ａに示すように、外部機器は、エアコン７２１、暖房機器７２２、扇風機７２３、加湿器７２４、オーディオ７２５などの家電製品であってもよい。一方、制御部１８０は、移動端末機が予め設定された場所（例えば、ユーザの「家」）に位置する場合、少なくとも１つの外部機器と通信できるように、無線通信部１１０を制御することができる。
【０１３０】
つまり、制御部１８０は、画像オブジェクト７１０にマッチングされた状況情報の少なくとも１つを外部機器に送信することができる。そして、外部機器は、状況情報を受信すると、受信した状況情報に基づいて、出力値を調整することができる。
【０１３１】
また、制御部１８０は、外部機器に状況情報を送信する際に、状況情報に含まれる複数の詳細情報のうち、外部機器の特性に合う詳細情報を選択的に送信することができる。また、詳細情報の特性によって、その詳細情報を送信する外部機器を予め設定することができる。例えば、制御部１８０は、扇風機７２３に風速情報を送信し、暖房機器７２２に温度情報を送信するように、無線通信部１１０を制御することができる。
画像オブジェクト７３０を用いて外部機器に状況情報を送信する例を具体的に説明すると次の通りである。
【０１３２】
制御部１８０は、図７Ｂの（ａ）に示すように、状況情報に含まれる複数の詳細情報にそれぞれ対応する複数の詳細情報項目７３１、７３２、７３３、７３４、７３５、７３６のうち、ユーザにより選択された詳細情報項目に対応する詳細情報を外部機器に送信することができる。この場合、制御部１８０は、選択された詳細情報項目に対応する詳細情報を反映できる外部機器（予め設定された外部機器を含む。）に、選択された詳細情報を送信することができる。  
【０１３３】
一方、制御部１８０は、複数の詳細情報項目７３１、７３２、７３３、７３４、７３５、７３６のうち、ユーザにより選択された詳細情報項目、または、外部機器に送信された詳細情報項目が、選択されていない他の詳細情報項目と視覚的に区分されるように、ディスプレイ部１５１を制御することができる。たとえば、ハイライト処理をすることができる。
【０１３４】
制御部１８０は、図７Ｂの（ａ）に示すように、状況情報のうち、明るさ情報、サウンド情報、温度情報を、少なくとも１つの外部機器に送信することができる。
【０１３５】
また、制御部１８０は、図７Ｂの（ｂ）に示すように、状況情報に含まれる複数の詳細情報全体を少なくとも１つの外部機器に送信するための全体送信アイコン７４０をディスプレイ部１５１に出力させるようにしてもよい。ユーザにより全体送信アイコン７４０が選択されると、制御部１８０は、画像オブジェクト７３０に表示された詳細情報項目に対応する詳細情報を、少なくとも１つの外部機器に送信することができる。
【０１３６】
一方、本発明の一実施形態による移動端末機において、制御部１８０は、収集した状況情報を編集することができる。例えば、ユーザが明るさ情報を変更しようとする場合、制御部１８０は、ユーザの制御命令に基づいて、明るさ情報を変更するための編集ウィンドウをポップアップの形で出力したり、画面切替により提供することができる。また、ユーザが編集ウィンドウを用いて明るさ情報を変更すると、制御部１８０は、前記変更された明るさ情報で既に収集した状況情報を代替するか、又は前記変更された明るさ情報を含む新しい画像オブジェクトを生成することができる。すなわち、編集ウィンドウを用いて編集された詳細情報を更新できる。この場合、制御部１８０は、状況情報を代替した又は新しく生成された画像オブジェクトに表示された詳細情報項目のうち、編集された詳細情報に対応する詳細情報項目に、編集された詳細情報が表示されるようにディスプレイ部を制御することができる。
【０１３７】
状況情報を編集する例を説明すると次の通りである。図７Ｃに示すように、画像オブジェクト７３０に表示された詳細情報項目に対して予め設定された方式のタッチ入力が行われると、状況情報を編集できるようにしてもよい。例えば、図７Ｃの（ａ）に示すように、明るさ情報項目７３１に対して、予め設定された方式のタッチ入力（例えば、ロングタッチ、ダブルタッチなど）が行われると、制御部１８０は、図７Ｃの（ｂ）に示すように、ディスプレイ部１５１の少なくとも一領域に編集ウィンドウ７３２を出力させる。また、ユーザが編集ウィンドウ７３２を用いて明るさ情報を選択すると、制御部１８０は、図７Ｃの（ｃ）に示すように、明るさ情報項目７３１ａに変更された明るさ情報を出力させる。さらに、明るさ情報項目７３１ａに対応する明るさ情報を外部機器に送信することが選択されると、制御部１８０は、変更された明るさ情報を外部機器に送信させる。
【０１３８】
このように、制御部１８０は、特定の項目に対して個別に編集ウィンドウを提供するようにしてもよい。また、制御部１８０は、図７Ｄに示すように、状況情報を１つの画面で編集できる編集ウィンドウを提供するようにしてもよい。
【０１３９】
例えば、図７Ｄの（ａ）に示すように、設定アイコン７４０が選択されると、制御部１８０は、図７Ｄの（ｂ）に示すように、ディスプレイ部１５１の少なくとも一領域に編集ウィンドウ７４１を出力する。制御部１８０は、編集ウィンドウ７４１を用いて状況情報を全体的に変更（又は修正、編集）できるように、状況情報に含まれる詳細情報に対応する項目を出力させる。一方、ユーザが編集ウィンドウ７４１を用いて湿度情報を変更すると、制御部１８０は、図７Ｄの（ｃ）に示すように、湿度情報項目７５１ａに変更された湿度情報を出力させる。
【０１４０】
以上のように、本発明の一実施形態による移動端末機においては、収集した状況情報を外部機器に送信することにより、画像を撮影した当時の環境を作ることができる。また、本発明の一実施形態による移動端末機においては、収集した状況情報をユーザの選択に基づいて編集することにより、カスタマイズ環境を作ることができる。
【０１４１】
以下、図８Ａ〜図８Ｄを参照して、画像オブジェクトを用いて状況情報を送信する方法について詳細に説明する。図８Ａ、図８Ｂ、図８Ｃ、及び図８Ｄは本発明の一実施形態による移動端末機における収集した状況情報を共有する方法を説明するための概念図である。
【０１４２】
一例として、本発明の一実施形態による移動端末機においては、図８Ａに示すように、複数の外部機器にそれぞれ対応する項目８１１、８１２、８１３、８１４、８１５、８１６が含まれるリスト８１０を用いて、状況情報を送信する外部機器を選択することができる。図示のように、エアコン項目８１１、扇風機項目８１３、暖房機器項目８１４が選択された場合、制御部１８０は、その選択されたエアコン項目８１１、扇風機項目８１３、暖房機器項目８１４に対応する外部機器に状況情報を送信する。
【０１４３】
他の例として、本発明の一実施形態による移動端末機において、制御部１８０は、図８Ｂの（ａ）に示すように、ディスプレイ部１５１上の外部機器（この外部機器は、予め設定された少なくとも１つの外部機器であってもよい。）に対応する画像オブジェクト８３１、８３２、８３３、８３４、８３５、８３６をそれぞれ出力させるようにしてもよい。これにより、ユーザは状況情報をどの外部機器に送信するかを直観的に判断することができる。
【０１４４】
画像オブジェクト８３１、８３２、８３３、８３４、８３５、８３６が配置される位置は、ユーザの選択に基づくようにしてもよい。また、画像オブジェクト８３１、８３２、８３３、８３４、８３５、８３６が配置される位置は、実際に外部機器が配置された位置に対応するようにしてもよい。
【０１４５】
このように、ディスプレイ部１５１上には、外部機器に対応する画像オブジェクトが出力され、状況情報がマッチングされた画像オブジェクト（又は状況情報カード８２０）が出力される。
【０１４６】
また、図８Ｂの（ｂ）及び（ｃ）に示すように、状況情報カード８２０が前記外部機器に対応する画像オブジェクト８３１、８３２、８３３、８３４、８３５、８３６の少なくとも１つの画像オブジェクト８３５、８３３にドラッグされた場合、少なくとも１つの画像オブジェクト８３５、８３３に対応する外部機器に画像オブジェクト８３５、８３３に対応する状況情報を送信することができる。この場合、制御部１８０は、状況情報に含まれる複数の詳細情報のうち、当該外部機器が反映できる詳細情報を選択的に送信することができる。
【０１４７】
さらに、図示していないが、制御部１８０は、前記外部機器に対応する画像オブジェクト（グラフィック画像）８３１、８３２、８３３、８３４、８３５、８３６の少なくとも１つが状況情報カード８２０にドラッグされた場合、それに基づいて状況情報を少なくとも１つの外部機器に送信することができる。
【０１４８】
このように状況情報が外部機器に送信されると、外部機器は、受信した状況情報に基づいて動作を行う。例えば、図８Ｃの（ａ）及び（ｂ）に示すように、状況情報カード８２０が表示機能付き窓に対応する画像オブジェクト８３７にドラッグされると、表示機能付き窓は、図８Ｃの（ｃ）に示すように、状況情報カード８２０に含まれるイメージ画像に対応する画像を出力する。
【０１４９】
前述したように、本発明の一実施形態による移動端末機においては、１つの状況情報カードを用いて、外部機器に状況情報を送信することができる。
【０１５０】
また、本発明の一実施形態による移動端末機においては、図８Ｄの（ａ）に示すように、複数の状況情報カード８２１、８２２、８２３を用いて、少なくとも１つの外部機器に状況情報を送信することができる。
【０１５１】
ここで、複数の状況情報カード８２１、８２２、８２３は、ユーザにより選択された状況情報カードであってもよく、最近活用された状況情報カードであってもよく、現在の周辺環境と類似又は反対の状況情報を含む状況情報カードであってもよい。その他にも、様々な基準に基づいて、複数の状況情報カード８２１、８２２、８２３を出力することができる。
【０１５２】
すなわち、本発明の一実施形態による移動端末機においては、様々な状況情報を選択的に活用できるように、異なる状況情報を含む複数の状況情報カード８２１、８２２、８２３を出力することができる。
【０１５３】
また、図８Ｄの（ｂ）に示すように、第１状況情報カード８２１が加湿器に対応する画像オブジェクト８３１に移動した場合、制御部１８０は、第１状況情報カード８２１に含まれる湿度情報を加湿器に送信することができる。また、第２状況情報カード８２２がエアコンに対応する画像オブジェクト８３３に移動した場合、制御部１８０は、第２状況情報カード８２２に含まれる温度情報をエアコンに送信することができる。また、第３状況情報カード８２３が扇風機に対応する画像オブジェクト８３４に移動した場合、制御部１８０は、第３状況情報カード８２３に含まれる風速情報を扇風機に送信することができる。
【０１５４】
以上のように、本発明の一実施形態による移動端末機においては、外部機器に対応する画像オブジェクトを用いて、直観的な情報をユーザに提供することができる。
【０１５５】
以下、図９Ａ及び図９Ｂを参照して、移動端末機の状態又は周辺状況が予め設定された条件を満たす場合、状況情報に対応する画像オブジェクト又は状況情報カードを提供する方法について詳細に説明する。図９Ａ及び図９Ｂは本発明の一実施形態による移動端末機における収集した状況情報を活用する方法を説明するための概念図である。
【０１５６】
本発明の一実施形態による移動端末機においては、移動端末機の状態又は周辺状況が予め設定された条件を満たす場合、ユーザに状況情報カードを提供することができる。
【０１５７】
ここで、移動端末機の状態に関連する予め設定された条件は、移動端末機の現在の位置が予め設定された位置であるか否かであってもよい。この場合、予め設定された条件は、移動端末機が、予め設定された位置と近接したときに満たされてもよい。
【０１５８】
また、周辺状況に関連する予め設定された条件は、移動端末機周辺の状況情報（例えば、湿度情報、温度情報、風速情報、サウンド情報、明るさ情報、におい情報、騒音情報、汚染度情報、天気情報、日付情報、埃情報、紫外線情報）のうち、予め設定された数以上の詳細情報が、状況情報カードに対応する状況情報に類似するか否かであってもよい。例えば、現在の移動端末機周辺の状況情報に含まれる詳細情報の少なくとも２つが、状況情報カードに対応する状況情報に類似する場合（又は、反対の場合（これは設定により変更可能である））、制御部１８０は、ユーザに状況情報カードを提供することができる。
【０１５９】
例えば、制御部１８０は、図９Ａの（ａ）に示すように、アプリケーションに対する制御命令の入力を制限するロック画面９１０が出力された状態で、移動端末機の状態又は周辺状況が予め設定された条件を満たす場合、図９Ａの（ｂ）に示すように、ロック状態で状況情報カード９２０を出力させることができる。従って、ユーザは、ロック状態で、状況情報カード９２０を用いて、少なくとも１つの外部機器に状況情報を送信することができる。具体的には、状況情報カード９２０に対するタッチ入力に基づいて、状況情報カード９２０に表示された詳細情報項目に対応する詳細情報が、予め設定された少なくとも１つの外部機器に送信される。この場合において、前述された図７Ａ〜図７Ｃに示されているのと同様に、制御部１８０は、画像オブジェクトに対するタッチ入力に応じて、画像オブジェクトに表示された複数の詳細情報項目のうち、複数の詳細情報項目全体に対応する詳細情報を送信するか、複数の詳細情報項目の一部に対応する詳細情報を送信するか、を決定することができる。
【０１６０】
また、制御部１８０は、図９Ｂの（ａ）に示すように、ロック画面９１０上に、予め設定された条件に対応する複数の状況情報カード９２１、９２２、９２３を出力させることができる。また、図９Ｂの（ｂ）に示すように、複数の状況情報カード９２１、９２２、９２３のいずれか１つが予め設定された位置又は予め設定された画像オブジェクト９３０上に移動すると、制御部１８０は、移動した状況情報カード（画像オブジェクト）９２２に対応する状況情報を、少なくとも１つの外部機器に送信することができる。
【０１６１】
さらに、制御部１８０は、図９Ｂの（ｃ）に示すように、ロック画面上に、選択された状況情報カード９２２ａを出力させ、現在外部機器に適用された状況情報に関する情報をユーザに提供することができる。
【０１６２】
一方、制御部１８０は、状況情報カードに対応する状況情報のうち、無線通信部１１０に接続された外部機器に対応する状況情報を、前記接続された外部機器に送信することができる。この場合、制御部１８０は、外部機器との接続が行われていないため外部機器に送信されていない状況情報に関する情報をユーザに提供することができる。よって、図示していないが、制御部１８０は、状況情報カードに含まれる詳細情報項目のうち、送信されていない詳細情報に対応する詳細情報項目が他の詳細情報項目と視覚的に区分されるように表示させることができる。
【０１６３】
また、図示していないが、制御部１８０は、移動端末機の状態又は周辺状況が予め設定された条件を満たす場合、移動端末機のロック状態だけでなく、ロック解除状態でも、状況情報カードを提供することができる。この場合、制御部１８０は、ポップアップウィンドウを用いて、状況情報カードを出力するか否かをユーザに選択させることができる。また、制御部１８０は、イベント情報を一度に表示する通知ウィンドウに状況情報カードに関する情報を出力させることができる。
【０１６４】
以上のように、本発明の一実施形態による移動端末機においては、移動端末機の状態又は周辺状況が予め設定された条件を満たす場合、ユーザに状況情報カードを推薦することができる。
【０１６５】
さらに、図示していないが、本発明の一実施形態による移動端末機においては、状況情報カード自体を外部機器に送信することができる。すなわち、本発明の一実施形態による移動端末機においては、状況情報カードを知人に送信することにより、旅行地の状況情報などを共有することができる。また、このような状況情報カードは、外部サーバ又はソーシャルネットワークサービス（Social Network Service, SNS）サイトからダウンロードすることができる。
【０１６６】
本発明の一実施形態によれば、前述した方法は、プログラム記録媒体にコンピュータ可読コードで実現することができる。コンピュータ可読媒体は、コンピュータシステムにより読み取り可能なデータが保存される全ての種類の記録装置を含む。コンピュータ可読媒体としては、ＲＯＭ、ＲＡＭ、ＣＤ−ＲＯＭ、磁気テープ、フロッピーディスク、光データ記憶装置などがあり、搬送波（例えば、インターネットによる送信）の形で実現されるものも含まれる。また、前記コンピュータは、移動端末機の制御部１８０を含むこともできる。
【０１６７】
本発明による移動端末機は、上記実施形態の構成と方法に限定されるものではなく、各実施形態の全部又は一部を選択的に組み合わせて構成することで様々に変形することができる。
【符号の説明】
【０１６８】
１００  移動端末機
１１０  無線通信部
１２１、１２１’  カメラ
１５１  ディスプレイ部
１６０  メモリ
１８０  制御部
１８２  状況情報部
４１０、５１０、５５０  プレビュー領域
４４０、６１１ａ、６１２ａ、６１３ａ、６２１、７１０、７３０、８３１、８３２、８３３、８３４、８３５、８３６、９３０  画像オブジェクト
７３２、７４１  編集ウィンドウ
９１０  ロック画面
【図１】
2014099172.tif 000003
【図２Ａ】
2014099172.tif 000004
【図２Ｂ】
2014099172.tif 000005
【図３】
2014099172.tif 000006
【図４Ａ】
2014099172.tif 000007
【図４Ｂ】
2014099172.tif 000008
【図５Ａ】
2014099172.tif 000009
【図５Ｂ】
2014099172.tif 000010
【図６Ａ】
2014099172.tif 000011
【図６Ｂ】
2014099172.tif 000012
【図７Ａ】
2014099172.tif 000013
【図７Ｂ】
2014099172.tif 000014
【図７Ｃ】
2014099172.tif 000015
【図７Ｄ】
2014099172.tif 000016
【図８Ａ】
2014099172.tif 000017
【図８Ｂ】
2014099172.tif 000018
【図８Ｃ】
2014099172.tif 000019
【図８Ｄ】
2014099172.tif 000020
【図９Ａ】
2014099172.tif 000021
【図９Ｂ】
2014099172.tif 000022